(57)【要約】【課題】  本発明は、容器本体内に収容したゴミの体積を減少させてゴミを効率良く収容することができると共に、ゴミの体積を減少させた後も美観を損ねることなくゴミを継続して収容することができるゴミ収容箱を提供する。【解決手段】  本発明のゴミ収容箱Ａは、容器本体１の上端開口部に蓋体６を開閉自在に装着してなるゴミ収容箱において、上記蓋体６を容器本体１の対向内側面に配設しているスプリング８、８によって支持させ、該スプリング８、８力に抗して蓋体６を容器本体１内に押し込み可能に構成していることを特徴とする。【選択図】    図８
2005089090.tif 000002
【特許請求の範囲】
【請求項１】
容器本体の上端開口部に蓋体を開閉自在に装着してなるゴミ収容箱において、上記蓋体を容器本体の対向内側面に配設しているスプリングによって支持させ、該スプリング力に抗して蓋体を容器本体内に押し込み可能に構成していることを特徴とするゴミ収容箱。
【請求項２】
容器本体の上端開口部に枠状口縁部材を着脱自在に嵌合させてあり、この枠状口縁部材の対向内側面における中央部にスプリングを配設した垂直溝を形成している一方、蓋体の両側面部の中央部に水平短軸を回動自在に取り付け、これらの水平短軸の先端部を両側垂直溝に上下動可能に挿入して上記両側スプリングの上端に支持させていることを特徴とする請求項１に記載のゴミ収容箱。
【発明の詳細な説明】
【技術分野】
【０００１】
本発明は、容器本体内に収容したゴミの体積を減少させて更に多くのゴミを効果的に収容することができるゴミ収容箱に関する。
【背景技術】
【０００２】
従来から、家庭や会社において、部屋毎に或いは各人毎に紙屑などのゴミを捨てるためのゴミ収容箱が配設されている。そして、家庭や会社においては、メモ書きに使用した後の紙片や、使用済みの包装紙或いは合成樹脂製フィルムなどを手で小さく丸めてゴミ収容箱に捨てたりすることが多く、手で丸めたゴミ自体に大きな隙間があることに加えて、ゴミとゴミとの間に大きな隙間ができたり或いはゴミ収容箱内に収納している間にゴミが膨張して体積が増加するといったことがある。
【０００３】
従って、ゴミ収容箱に捨てたゴミの量がそれ程多くないにもかかわらず、ゴミ収容箱内がゴミで一杯になってしまい、ゴミ収容箱内のゴミを頻繁に回収しなければならないといった問題点があった。
【０００４】
そこで、このような問題点を解消するために、特許文献１には、ゴミ箱内に棒付き押し板を入れ、蓋をした状態で手動にて棒を押してゴミを圧縮し蓋部分に棒に対して直角方向に付いたねじを締付けることにより、棒付押し板が固定されゴミの反発力を止めるゴミ箱が提案されている。
【０００５】
しかしながら、上記ゴミ箱は、確かにゴミ箱内に収容したゴミを棒付き押し板によって押圧して体積を減少させることができるものの、ゴミ箱内にゴミを継続して収容しようとした場合には、棒付き押し板をゴミ箱から取り外して別の場所に保管しておく必要があり、棒付き押し板の保管場所を要するのに加えて、この状態では、ゴミ箱内のゴミが外部から視認することができるので美観上も好ましくないといった問題点があった。
【０００６】
【特許文献１】実用新案登録第３０８２０７１号公報（実用新案登録請求の範囲）
【発明の開示】
【発明が解決しようとする課題】
【０００７】
本発明は、容器本体内に収容したゴミの体積を減少させてゴミを効率良く収容することができると共に、ゴミの体積を減少させた後も美観を損ねることなくゴミを継続して収容することができるゴミ収容箱を提供する。
【課題を解決するための手段】
【０００８】
請求項１に記載のゴミ収容箱は、容器本体の上端開口部に蓋体を開閉自在に装着してなるゴミ収容箱において、上記蓋体を容器本体の対向内側面に配設しているスプリングによって支持させ、該スプリング力に抗して蓋体を容器本体内に押し込み可能に構成していることを特徴とする。
【０００９】
又、請求項２に記載のゴミ収容箱は、請求項１に記載のゴミ収容箱において、容器本体の上端開口部に枠状口縁部材を着脱自在に嵌合させてあり、この枠状口縁部材の対向内側面における中央部にスプリングを配設した垂直溝を形成している一方、蓋体の両側端面の中央部に水平短軸を回動自在に取り付け、これらの水平短軸の先端部を両側垂直溝に上下動可能に挿入して上記両側スプリングの上端に支持させていることを特徴とする。
【発明の効果】
【００１０】
請求項１に記載のゴミ収容箱は、容器本体の上端開口部に蓋体を開閉自在に装着してなるゴミ収容箱において、上記蓋体を容器本体の対向内側面に配設しているスプリングによって支持させ、該スプリング力に抗して蓋体を容器本体内に押し込み可能に構成していることを特徴とするので、ゴミ収容箱内に収容したゴミが所定量以上となってゴミを収容することが困難となった時は、蓋体を容器本体内に押し込むことによって直ちに容器本体内のゴミを圧縮し、容器本体内にゴミを収容するための空間部を形成して、ゴミ収容箱内にゴミを継続的に捨てることができる。
【００１１】
そして、容器本体内のゴミを圧縮し終わった蓋体は、スプリング力によって自動的に元の位置に復帰するので、蓋体を容器本体内に押し込んだ後に元の位置に戻すための復帰作業を行なう必要はなく、蓋体を容器本体内に押し込むといった簡単な作業だけでゴミ収容箱内に継続して更にゴミを捨てることができる。
【００１２】
又、請求項２に記載のゴミ収容箱は、請求項１に記載のゴミ収容箱において、容器本体の上端開口部に枠状口縁部材を着脱自在に嵌合させてあり、この枠状口縁部材の対向内側面における中央部にスプリングを配設した垂直溝を形成している一方、蓋体の両側面部の中央部に水平短軸を回動自在に取り付け、これらの水平短軸の先端部を両側垂直溝に上下動可能に挿入して上記両側スプリングの上端に支持させていることを特徴とするので、蓋体を両側垂直溝に沿って容器本体内に安定的に押し込んで容器本体内のゴミを円滑に圧縮することができる。
【００１３】
しかも、ゴミ収容箱内にゴミを捨てるにあたっては、蓋体を水平短軸を中心にして回動変位させることによって容器本体を開放し、この開放された容器本体内にゴミを捨てるものであるから、容器本体内にゴミが所定量以上収容され、それ以上容器本体内にゴミを収容できない状態になった時は、蓋体の回動が容器本体内のゴミによって規制された状態となる。
【００１４】
従って、ゴミ収容箱内にゴミを捨てようとした者は、蓋体がゴミによって回動が規制されているか否かによって、容器本体内を視認することなく容器本体内に更にゴミを捨てることができるかどうかを即座に判断することができ、できるだけ容器本体内のゴミを見る機会を少なくしながら、必要に応じて、ゴミ収容箱内のゴミを圧縮してゴミを継続して捨てることができる。
【発明を実施するための最良の形態】
【００１５】
本発明のゴミ収容箱の一例を図面を参照しつつ説明する。ゴミ収容箱Ａの容器本体１は、図１及び図２に示したように、平面縦長長方形状の底面部11と、この底面部の外周縁から上方における斜め外方に向かって突設された四角枠状の周壁部12とからなり、上端は全面的に開放した状態に形成されており、底面部11と周壁部12とで囲まれた空間部にゴミを収容するように構成されている。
【００１６】
そして、上記容器本体１の上端開口部には枠状口縁部材２が着脱自在に装着されている。この枠状口縁部材２は、図１及び図３に示したように、断面凸円弧状の天板部21と、この天板部21の両側端縁及び前後端縁から下方に向かって突設された周壁部22とからなる。
【００１７】
更に、上記枠状口縁部材２は、その下端開口部が四角枠状に形成され且つ下端部外周面に係止突部23が全周に亘って水平方向に形成されており、この係止突部23を上記容器本体１の上端開口端面に係脱自在に係止させることによって、容器本体１の上端開口部に着脱自在に嵌合可能に構成されている。
【００１８】
又、上記枠状口縁部材２の天板部21には、その上下面間に亘って貫通する平面略縦長長方形状のゴミ投入口３が貫設されている一方、上記枠状口縁部材２の周壁部22における対向内側面における前後方向の中央部には、内部が中空に形成された断面四角枠状の筒状部材４、４がその上端を天板部21のゴミ投入口３における下側開口部の開口端面に連続させ且つ下端部を枠状口縁部材２の下端開口部から下方に所定長さだけ突出させた状態で一体的に設けられており、この筒状部材４、４の対向面部41、41に一定前後幅を有するスリットを筒状部材４、４の長さ方向の略全長に亘って内外面間に貫通した状態に形成することによって直条の垂直溝５、５が形成されている。なお、両側垂直溝５、５（筒状部材４、４の対向面部41、41）間の間隔は上下方向の全長に亘って同一間隔となるように調整されている。
【００１９】
一方、上記枠状口縁部材２のゴミ投入口３にはこのゴミ投入口３を開閉自在に閉止する蓋体６が配設されている。この蓋体６は、図１乃至図３に示したように、その上面が枠状口縁部材２の天板部21の断面形状に略合致した凸円弧状に形成された平面縦長長方形状の上面部61と、この上面部61の左右端縁の夫々から下方に向かって突設された両側面部62、62とからなる。
【００２０】
そして、上記蓋体６の両側面部62、62の前後方向の中央部には内外面間に亘って貫通する側面円形状の貫通孔62a 、62a が貫設され、この貫通孔62a 、62a のそれぞれに水平短軸７、７を回動自在に取り付けてあり、この水平短軸７、７の先端部を図４に示したように両側垂直溝５、５内に不抜状態にして上下動可能に挿入し且つ両側垂直溝５、５内に配設されたスプリング８、８の上端に支持させて常時上方に向かって付勢させている。
【００２１】
従って、上記蓋体６は、その両側面部62、62に取り付けた水平短軸７、７を中心にして回動自在に配設されていると共に両側垂直溝５、５に沿ってスプリング８、８に抗して上下動可能に構成されており（図２及び図５参照）、上記蓋体６は、常態においては、上記枠状口縁部材２のゴミ投入口３内にて該ゴミ投入口３を開閉自在に全面的に閉止した状態にて待機している。
【００２２】
次に、上記ゴミ収容箱の使用要領について説明する。先ず、ゴミ収容箱Ａ内にゴミを捨てるには、図６に示したように、ゴミを持った手でゴミ収容箱Ａの蓋体６の前後端部の何れか一方を下方に向かって押圧することによって、蓋体６を水平短軸７、７を中心にして上下方向に回動変位させてゴミ投入口３を開放させると同時に容器本体１内にゴミＢを捨てる。
【００２３】
そして、ゴミＢをゴミ収容箱Ａ内に捨てていくうちに、ゴミＢが容器本体１内に溜まっていくが、容器本体１内のゴミの総量がある一定量以上となると、蓋体６を回動変位させてゴミ投入口３を開放させる際に、蓋体６が容器本体１内のゴミＢに引っ掛かり、蓋体６の円滑な回動が阻止されるようになる。
【００２４】
このような状態に至った時は、蓋体６を、図７に示した如くゴミ投入口３を全面的に閉止している状態から回動させることなくその姿勢を維持したまま、図８に示したように、スプリング８、８力に抗して下方に向かって押し込むことによって、蓋体６により容器本体１内のゴミＢを上下方向に圧縮してゴミＢの体積を減少させ、ゴミＢを収容するための空間部を容器本体１内に形成してゴミ収容箱Ａ内に更にゴミＢを捨てることができる。
【００２５】
しかも、蓋体６によって容器本体１内のゴミＢを上下方向に圧縮した後、蓋体６に加えられている下方に向かう押圧力を解除すると、上記蓋体６は、スプリング８、８力によって垂直溝５、５に沿って上方に向かって変位し、ゴミ投入口３内に自動的に復帰してゴミ投入口３を全面的に閉止した状態に待機する。
【００２６】
しかるに、上記の要領で蓋体６を可動させることによって容器本体１内のゴミＢを数回に亘って上下方向に圧縮していくうちに、ゴミＢの体積をそれ以上減少させることができない状態となる。
【００２７】
このような状態になった時は、枠状口縁部材２を容器本体１の上端開口部から除去して容器本体１の上端開口部を全面的に開放した状態とし、容器本体１からゴミＢを取り出して回収すればよい。
【００２８】
この時、両側垂直溝５、５は枠状口縁部材２に一体的に設けられていることから、枠状口縁部材２を容器本体１から除去することにより両側垂直溝５、５も同時に容器本体１から完全に除去することができ、よって、容器本体１内から圧縮されたゴミＢを円滑に取り出して回収することができる。
【００２９】
以上のように、上記ゴミ収容箱Ａは、容器本体１内のゴミＢの量が所定量を超えた時点で蓋体を下動させることによって容器本体１内のゴミＢを視認することなくゴミＢを上下方向に圧縮して容器本体１内にゴミを収容するための空間部を形成することができ美観に優れていると共に、容器本体１内のゴミＢを圧縮した後も継続してゴミ収容箱Ａ内にゴミを捨てることができる。
【００３０】
しかも、上記ゴミ収容箱Ａの蓋体６は、容器本体１内のゴミＢを圧縮した後に蓋体６に対する押圧力を解除すると、自動的に上動して枠状口縁部材２のゴミ投入口３内に位置した状態となり、蓋体６の復帰作業を何ら行なうことなく直ちにゴミ収容箱Ａの使用を継続することができる。
【図面の簡単な説明】
【００３１】
【図１】本発明のゴミ収容箱を示した分解斜視図である。
【図２】図１のゴミ収容箱を示した縦断面図である。
【図３】枠状口縁部材を底面側から見た斜視図である。
【図４】垂直溝部分を示した横断面図である。
【図５】図１のゴミ収容箱において蓋体を下方に変位させた状態を示した縦断面図である。
【図６】図１のゴミ収容箱の使用状態を示した縦断面図である。
【図７】図１のゴミ収容箱の使用状態を示した縦断面図である。
【図８】図１のゴミ収容箱の使用状態を示した縦断面図である。
【符号の説明】
【００３２】
１  容器本体
２  枠状口縁部材
３  ゴミ投入口
５  垂直溝
６  蓋体
７  水平短軸
８  スプリング
Ａ  ゴミ収容箱
Ｂ  ゴミ
【図１】
2005089090.tif 000003
【図２】
2005089090.tif 000004
【図３】
2005089090.tif 000005
【図４】
2005089090.tif 000006
【図５】
2005089090.tif 000007
【図６】
2005089090.tif 000008
【図７】
2005089090.tif 000009
【図８】
2005089090.tif 000010